(57)【要約】      （修正有）【課題】日本の伝統的文化空間内において、周囲の目があるため、携帯電子機器の使用が躊躇される状況の下、周囲に違和感を与えずに携帯電子機器を使用するための携帯電子機器保護ケースを提供する。【解決手段】携帯電子機器用保護ケースは、ケース表紙１、ケース背表紙２、ケース本体３からなり、ケース表紙１、ケース本体２、ケース背表紙３を開閉部の穴に結束具、または糸４を通し固定する。固定方法には、四つ目綴じ、麻の葉綴じ、康煕綴じ等に総称される和綴じと呼ばれる方法を用いる。ケース本体３はスマートフォンが収まるような凹部７を持ち、また、充電やイヤホンに使われるケーブルが挿通する通路６又は、カメラを使用するための穴を備えている。【選択図】図１
2017000571.tif 000002
【特許請求の範囲】
【請求項１】
携帯電子機器を収納するケース本体と、前記ケース本体の表面を覆うケース表紙と前記ケース背表紙を備え、前記ケースの表紙とケース背表紙とが結束具、または糸により和綴じされていること又は和綴じされているように見える装飾を施されていることにより和本のように見えることを特徴とする携帯電子機器用保護ケース
【請求項２】
携帯電子機器を収納するケース本体と、ケース本体の表面及び裏面を覆う1枚型のケース表紙に、前記ケース本体を結束具、または糸により和綴じされたように見える装飾を施されたことを特徴とする携帯電子機器用保護ケース
【請求項３】
前記ケース本体がケース背表紙に接着されていることを特徴とする請求項１又は２に記載された携帯電子機器用保護ケース
【請求項４】
前記ケース本体部は複数枚の紙を重ねてその内部に携帯電子機器を収納する凹部が形成されていることを特徴とする請求項１乃至３いずれかに記載された携帯電子機器用保護ケース
【請求項５】
前記ケース本体部に充電器又はイヤホンに接続するケーブルが挿通する凹部形成されていることを特徴とする請求項１乃至４いずれかに記載された携帯電子機器用保護ケース
【請求項６】
前記ケース本体部と表紙部に携帯電子機器に備えられているカメラのレンズの位置に当たる部分に穴を設けられている事を特徴とする請求項１乃至５いずれかに記載された携帯電子機器用保護ケース
【請求項７】
前記ケース本体部並びに表紙部に、携帯電子機器の充電器又はイヤホンに接続するケーブルが挿通する凹部が形成されていることを特徴とする請求項１乃至６いずれかに記載された携帯電子機器用保護ケース
【請求項８】
ケース本体の背表紙に和風または東洋風の絵柄が施されていることを特徴とする請求項１乃至７のいずれかに記載された携帯電子機器用保護ケース
【請求項９】
前記ケース表紙あるいはケース本体に携帯電子機器に対し使用するタッチペンを装着する凹部を備えることを特徴とする請求項１乃至８いずれかに記載された携帯電子機器用保護ケース
【発明の詳細な説明】
【技術分野】
【０００１】
本発明は、携帯電子機器を収納する携帯電子機器用保護ケースに関し、特に携帯電子機器を内部に収納する保護ケースに関するものである。
【背景技術】
【０００２】
従来からスマートフォン、タブレット型パーソナルコンピューター等の、携帯電子機器の装飾においては、携帯電子機器の全面又は一部を包囲し外装を装飾する携帯電子機器用保護ケースとしてこれまでも機能、デザイン向上のため様々な形状、絵柄のものが提案されている。携帯電子機器用保護ケースとしては、特許文献１に開示されている携帯電子機器用保護ケースがある。実用新案登録第３１０４３６０号公報に開示されている携帯電子機器用保護ケースは携帯電子機器を収納したまま液晶画面が確認できる位置に窓が設けられていることを特徴とし、フタの開閉部に留め金を設け、フタの背面中央部を接点にした釣りひもで輪をつけた携帯電子機器の携帯用皮ケースである。また、特許文献２に開示されている携帯電子機器用保護ケースがある。特開第２０１５−７６６５８号公報に開示されている携帯電子機器用保護ケースとしては、機材全体を包囲し、その機材を装飾するための外装と、この外装に一体化された表示装置と表示制御回路とを備え、外部装置から画像データを受け入れて上記表示装置に該当する画像を表示させ、かつ、任意のタイミングで別の画像データを受け入れて上記表示装置に表示させその変化を楽しむ携帯電子機器用保護ケースに設置する画像表示装置がある。
【先行技術文献】
【特許文献】
【０００３】
【特許文献１】実用新案登録第３１０４３６０号公報
【特許文献２】特開第２０１５−７６６５８号公報
【発明の概要】
【発明が解決しようとする課題】
【０００４】
ところで、僧侶や神主、茶道家や将棋棋士等、伝統的な和装を着用の上で日本の伝統的な文化空間の中、厳粛な空気の下に公衆の面前で職務を遂行しなければならない職業の場合、現代文明の先端に位置する携帯用電子機器を使用することは職務の場である伝統的な文化空間の維持に強く反発するものがあり、その使用はためらわれる。前記特許の携帯電子機器保護ケースを使用して携帯電子機器の外面を装飾することによって、日本の伝統的文化空間に沿う外面に近づけるよう変化させる事ができるが、伝統的な和装を着用の上で日本の伝統的な文化空間の中、厳粛な空気の下に公衆の面前で使用するには不十分である。
【０００５】
本発明の目的とする所は、伝統的な和装を着用した状態で、日本の伝統的な文化空間の厳粛な空気の下に公衆の面前で堂々と携帯電子機器を使用することができ、携帯電子機器を保護するに十分な機能を備える、画期的な携帯用電子機器用保護ケースを作成することにある。
【課題を解決するための手段】
【０００６】
上記目的を達成するためになされた本発明は、上述した課題を解決する一手段として、以下の構成を備える。すなわち、携帯電子機器を収納するケース本体３と、前記ケース本体３の表面を覆うケース表紙１と前記ケース本体３の裏面を覆うケース背表紙２を備え、前記ケースの表紙１とケース背表紙２とが結束具、または糸４により和綴じされていること又は、和綴じされているように見える装飾を施されていることにより和本のように見えることを特徴とする。なお、和綴じとは日本の伝統的製本技術の名称であり、本文と表紙、背表紙を糸で綴じることにより合体させるものであること、表紙、背表紙の表面に綴じた糸が露出していることとを基準に定義される。なお、和綴じされているように見える装飾とは、本体と表紙、背表紙が接着剤等、糸で綴じる方法以外の方法で固定されているが、表紙、背表紙の表面には本体を和綴じされているように糸が和綴じ特有の形状で露出する形で装飾されていることを基準に定義される。
【０００７】
前記ケース本体３を包む表紙カバーはケース表面及び裏面を覆い、和綴じされたようにみえる装飾を施された1枚型表紙８においても和本のように見えることを特徴とする。
【０００８】
前記ケース本体３は複数枚の紙を重ねてその内部に携帯電子機器を収納する凹部７が形成されていることを特徴とする
【０００９】
前記ケース本体部３に携帯電子機器の充電器又はイヤホンに接続するケーブルが挿通する通路６が形成されていることを特徴とする
【００１０】
前記ケース本体部３と表紙１乃至背表紙２乃至1枚型表紙８に携帯電子機器に備えられているカメラのレンズの位置に当たる部分に穴９を開けることにより、携帯電子機器用保護ケースに携帯電子機器を装着した状態でカメラを使用することが可能であることを特徴とする
【００１１】
ケース本体３の表紙１乃至背表紙２乃至1枚型表紙８に和風または東洋風の絵柄が施されていることを特徴とする。
【００１２】
前記ケース表紙１乃至背表紙２乃至本体３に携帯電子機器に対し使用するタッチペン１１を装着する裏側の空間１３あるいは凹部１４を備えることを特徴とする。
【発明の効果】
【００１３】
本発明によれば、携帯用電子機器を収納し、表紙を閉じた状態の携帯用電子機器保護ケースは閉じた状態の和本と形状の面でほぼ等しくなっている。和本は古来より日本の文化の一部として存在しており、日本の伝統的文化空間の下、和装の人物が懐中より取り出し掌中で使用することに関して特に違和感を生み出すものではない。本携帯用電子機器保護ケースは、和装の人物が携帯電子機器を携帯、使用する際に周囲に対する違和感を最小に抑えることを可能とする。
【００１４】
また、ケース本体部を複数枚の紙を重ねた材質にした場合は外観の装飾効果がさらに高まる。
【図面の簡単な説明】
【００１５】
【図１】本発明の携帯電子機器用保護ケースの全体図である。
【図２】本発明の携帯電子機器用保護ケース表紙を１枚で構成した場合の表紙の構成図である。
【図３】本発明の携帯電子機器用保護ケース外面を表紙２枚で構成した斜視図である。
【図４】本発明の携帯電子機器用保護ケース内面（本体）の斜視図である。
【図５】本発明の携帯電子機器用保護ケース外面の表紙１枚と内面を重ね合わせた状態を示す説明図である。
【図６】本発明の携帯電子機器用保護ケース外面の表紙２枚と内面を重ね合わせた状態を示す説明図である。
【図７】本発明の携帯電子機器用保護ケース表紙を閉じた状態の全体図である。
【図８】本発明の携帯電子機器用保護ケースの他の実施例を示す図１相当図である。
【発明を実施するための形態】
【実施例】
【００１６】
本発明にかかる携帯電子機器用保護ケースを携帯電子機器としてのスマートフォン用のケースに適用した実施例について図１から図７に基づいて説明する。この携帯電子機器用保護ケースは図１に示されるようにケース表紙１、ケース背表紙２、ケース本体３からなる。
【００１７】
ケース表紙１とケース背表紙２の素材は特に限定されるものではない。例えば厚紙あるいは合成樹脂を用いることができる。又、それらの厚さは特に限定されるものではないが、スマートフォンを携帯して持ち歩く際に内部に設置するスマートフォンを傷つけない厚さの素材を使用する。ケース表紙１は開閉しやすいよう折り目５をつけるが、スマートフォンの収納、着脱のしやすさの機能面とデザイン面の都合から折り目５の位置、有無は特に限定されるものではない。
【００１８】
ケース表紙は上記の例のように表紙１と背表紙２の２枚を用いる事なく、例えば図２、図８に示すケース表紙８のように１枚にしてもよい。
【００１９】
ケース本体３はスマートフォンが収まるような凹部７を要し、スマートフォンの形状に合わせた形のものを使用する。また、スマートフォンの充電やイヤホンに使われるケーブル又は、カメラの穴等、ケースに入れたまま外部と交通する必要がある場合、その場所に合わせた位置に通路６やカメラ用穴９を設ける。また、凹部７、カメラ用穴９の大きさ、位置は内部に収めるスマートフォンの大きさ、厚さ、ケーブル、カメラの穴の位置など形状の都合により、特に限定されるものではない。
【００２０】
ケース背表紙２とケース本体３を接着固定した後、ケース表紙１、ケース本体２、ケース背表紙３を伝統的な和綴じの本に見えるよう開閉部の穴１０に結束具、または糸４を通し固定する。ケース表紙を１枚にした場合は結束具、または糸４を通す手順は四つ目綴じ、麻の葉綴じ、康煕綴じ等に総称される和綴じと呼ばれる方法に準ずる。また、１枚型ケース表紙８を用いる場合は、図２のようにケース表紙８を結束具、または糸４で和綴じされたように装飾した後、図５のようにケース本体３を接着する。
【００２１】
ケース本体３にはタッチペン収納用の凹部１４を凹部７が形成されている部分以外に設けてもよい。
【００２２】
次に他の実施例を図８に基づいて説明する。結束具、または糸４で和綴じを麻の葉綴じにして装飾性をさらに高め、高級感を上げている。また、１枚型ケース表紙８に固定器具１２をスマートフォンの四隅に位置する場所へ設置することでスマートフォンを固定する。また、ケース表紙８の背にあたる部分の裏側の空間１３を形成する事により、タッチペン１１を収納する機能を備える。本携帯電子機器保護ケースに収納したスマートフォン使用時に筆型タッチペン１１を用いることで、日本の伝統文化を重んじることを周知できる。また、タッチペンの形状は筆型に限るものではく、本体の形状の都合により特に限定されるものではない。
【００２３】
尚、上記の各実施例では代表的な携帯電子機器であるスマートフォン用のケースを前提としたが、スマートフォン以外のタブレット型パーソナルコンピューター、携帯型ナビゲーション、ブックリーダー等の携帯電子機器にも適用することができる。 
【産業上の利用可能性】
【００２４】
本発明は日本の伝統的な文化空間の中、日本の伝統的な文化に即した道具のみの使用が許され、スマートフォン等の携帯電子機器の使用が受け入れられない局面での携帯電子機器の使用を促すことになり、伝統文化に携わる全ての業界で大なる利便をもたらすことが予想される。又、本発明を装飾性の高い個人のスマートフォンの保護ケースとして利用すれば、日本の文化を気軽に体験する事ができる。
【符号の説明】
【００２５】
１    ケース表紙
２    ケース背表紙
３    ケース本体
４    結束具、または糸
５    折り目
６    通路
７    凹部
８    １枚型ケース表紙
９    カメラ用穴
１０  穴
１１  筆型タッチペン
１２  固定器具
１３  裏側の空間１４  凹部
【図１】
2017000571.tif 000003
【図２】
2017000571.tif 000004
【図３】
2017000571.tif 000005
【図４】
2017000571.tif 000006
【図５】
2017000571.tif 000007
【図６】
2017000571.tif 000008
【図７】
2017000571.tif 000009
【図８】
2017000571.tif 000010